(57)【要約】【課題】前面上部の吸込口と前面下部の吹出口との間に吹出空気の一部を導入する導風口を設け、同導風口に開閉パネルおよび目隠し手段を設けると共に、同導風口の内側に室温サーミスタを設けた壁掛け式の空気調和機を提供する。【解決手段】前面上部の吸込口５と、吹出口７との間の吸込グリル３または前面パネル４に、前記吹出口７から吹き出される吹出空気の一部を、熱交換器８の垂直部８ａを通過させて本体１内の空気通路に導く導風口１３を設け、同導風口１３に、同導風口１３を開閉する開閉パネル１４と、開放時に内部を目隠しする目隠し手段とを夫々設けると共に、前記導風口１３の内側に室内温度を検知する室温サーミスタＥを設けた。【選択図】  図１
2004316991.tif 000002
【特許請求の範囲】
【請求項１】
ベースと、同ベースの前面に装着され、前面上部に吸込グリルを備えた前面パネルとからなる本体の前面上部および上面に吸込口を設け、前面下部に上下風向板を備えた吹出口を設け、前記吸込口と前記吹出口とを結ぶ空気通路に、上部が逆Ｖ字状に形成された前部熱交換器および後部熱交換器からなる前記室内熱交換器と、送風ファンとを設けてなる空気調和機において、
前記前面上部の吸込口と、前記吹出口との間の前記吸込グリルまたは前記前面パネルに、前記吹出口から吹き出される吹出空気の一部を、前記前部熱交換器を通過させて前記空気通路に導く導風口を設け、同導風口に、同導風口を開閉する開閉パネルと、開放時に内部を目隠しする目隠し手段とを夫々設けると共に、前記導風口の内側に室内温度を検知する室温サーミスタを設けてなることを特徴とする空気調和機。
【請求項２】
前記前部熱交換器が、垂直部と、同垂直部の上端を折曲して後方に傾斜させた後方傾斜部とからなり、前記垂直部の前面側に補助熱交換器を設けると共に、同補助熱交換器の下部前方に前記室温サーミスタが設けられるようにしてなることを特徴とする請求項１に記載の空気調和機。
【請求項３】
前記開閉パネルが、その上部両側に設けられた支軸部により、下端部を前記導風口の外側に開くように回動可能に支持されてなることを特徴とする請求項１に記載の空気調和機。
【請求項４】
前記目隠し手段が、前記開閉パネルの下部に連続形成されたフランジからなることを特徴とする請求項１または請求項３に記載の空気調和機。
【請求項５】
前記目隠し手段が、前記導風口に上下に併設された複数の横桟からなることを特徴とする請求項１または請求項３に記載の空気調和機。
【請求項６】
前記目隠し手段が、前記導風口に設けられた目隠し板からなることを特徴とする請求項１または請求項３に記載の空気調和機。
【発明の詳細な説明】
【０００１】
【発明の属する技術分野】
本発明は、壁掛け式の空気調和機に係わり、より詳細には、前面上部の吸込口と前面下部の吹出口との間に吹出空気の一部を導入する導風口を設け、同導風口に開閉パネルおよび目隠し手段を設けると共に、同導風口の内側に室温サーミスタを設けた構造に関する。
【０００２】
【従来の技術】
従来の壁掛け式の空気調和機は、例えば除湿運転時に吹出空気の一部をショートカットさせて、吸込口および吹出口の間に設けられた導風口から効率よく導入できるようにし、且つ開放時に内部が見えにくいように目隠しをして外観性を損ねないようにするため、本体の前面上部に設けられた前記吸込口と、前面下部に設けられた前記吹出口との間の吸込グリルまたは前面パネルに、前記吹出口から吹き出される吹出空気の一部を、熱交換器の垂直部を通過させて空気通路に導く導風口を設け、同導風口に、同導風口を開閉する開閉パネルを設けると共に、開放時に内部を目隠しするフランジからなる目隠し手段を設けてなるものがあった（例えば、特許文献１参照。）。
【０００３】
上記構成により、例えば暖房運転時に室内温度が設定値以下になった際、室外機に設けられた圧縮機を停止して、室内機の送風ファンを低速運転をすることによって吹出空気の一部をショートカットさせると共に、前記吸込口を臨ませて設けられた室温サーミスタにより、室内温度を検知できるようにすることが考えられていた。
【０００４】
しかしながら、前記室温サーミスタは、一般的には前記吸込口を臨ませるように前記熱交換器の上位部に設けられることが多く、前記導風口を臨ませるように設けるように提案された事例はなかった。
【０００５】
そこで、前記導風口から吹出空気の一部をショートカットできるようにすると共に、この導風口の内側に前記室温サーミスタを設けることによって室内温度を正確に検知できるようにすると共に、とくに前記室温サーミスタが見えてしまわないように、上記目隠し手段により前記導風口の内部を効果的に目隠しできるようにすることが望まれていた。
【０００６】
【特許文献１】
特開２００２−１４７７９０号公報（第１頁〜第２頁、第１図）
【０００７】
【発明が解決しようとする課題】
本発明においては、上記の問題点に鑑み、前面上部の吸込口と前面下部の吹出口との間に吹出空気の一部を導入する導風口を設け、同導風口に開閉パネルおよび目隠し手段を設けると共に、同導風口の内側に室温サーミスタを設けた壁掛け式の空気調和機を提供することを目的とする。
【０００８】
【課題を解決するための手段】
本発明は、上記課題を解決するため、ベースと、同ベースの前面に装着され、前面上部に吸込グリルを備えた前面パネルとからなる本体の前面上部および上面に吸込口を設け、前面下部に上下風向板を備えた吹出口を設け、前記吸込口と前記吹出口とを結ぶ空気通路に、上部が逆Ｖ字状に形成された前部熱交換器および後部熱交換器からなる前記室内熱交換器と、送風ファンとを設けてなる空気調和機において、
前記前面上部の吸込口と、前記吹出口との間の前記吸込グリルまたは前記前面パネルに、前記吹出口から吹き出される吹出空気の一部を、前記前部熱交換器を通過させて前記空気通路に導く導風口を設け、同導風口に、同導風口を開閉する開閉パネルと、開放時に内部を目隠しする目隠し手段とを夫々設けると共に、前記導風口の内側に室内温度を検知する室温サーミスタを設けてなる構成となっている。
【０００９】
また、前記前部熱交換器が、垂直部と、同垂直部の上端を折曲して後方に傾斜させた後方傾斜部とからなり、前記垂直部の前面側に補助熱交換器を設けると共に、同補助熱交換器の下部前方に前記室温サーミスタが設けられるようにしてなる構成となっている。
【００１０】
また、前記開閉パネルが、その上部両側に設けられた支軸部により、下端部を前記導風口の外側に開くように回動可能に支持されてなる構成となっている。
【００１１】
また、前記目隠し手段が、前記開閉パネルの下部に連続形成されたフランジからなる構成となっている。
【００１２】
また、前記目隠し手段が、前記導風口に上下に併設された複数の横桟からなる構成となっている。
【００１３】
更に、前記目隠し手段が、前記導風口に設けられた目隠し板からなる構成となっている。
【００１４】
【発明の実施の形態】
以下、本発明の実施の形態を図面に基づいた実施例として詳細に説明する。
図１は本発明による空気調和機の説明図で、（Ａ）は断面図、（Ｂ）は斜視図であり、図２は本発明による空気調和機の要部説明図で、（Ａ）は第一の実施例を、（Ｂ）は第二の実施例を、（Ｃ）は第三の実施例を、（Ｄ）は第四の実施例を夫々示す断面図である。
【００１５】
図において、１は本発明による壁掛け式の空気調和機本体、２は同本体１を構成するベース、４は同ベース２の前面に装着され、前面上部に吸込グリル３を備えた前面パネル、５は前記本体１の前面上部および上面に設けられた吸込口、７は前記本体１の前面下部に設けられ、上下方向の吹出空気流を偏向させるための上下風向板６を備えた吹出口、８は前記吸込口５と前記吹出口７とを結ぶ空気通路に設けられ、垂直部８ａおよびその上部に連続形成された後方傾斜部８ｂからなる前部熱交換器と、前記後方傾斜部８ｂの後部に連続形成された下方傾斜部８ｃからなる後部熱交換器とで上部が逆Ｖ字状に形成された室内熱交換器、９は前記空気通路に設けられた送風ファン、１０は前記吸込口５に、同吸込口５を開閉するために設けられた複数の吸込ルーバ、１１は前記前面上部および上面の前記吸込口５の間に設けられた補助吸込口、１２は同補助吸込口１１の風下側であって前記後方傾斜部８ｂの前面側に設けられた空気清浄ユニットであり、ａは前記吸込口５を臨ませるように挿脱可能に設けられたプレフィルタである。
【００１６】
上記構成により、例えば除湿運転を行う際、上記の従来技術の場合と同様に、前記上下風向板６を略水平位置に回動すると共に、一定の時間、前記前面上部の吸込口５を前記吸込ルーバ１０で閉じることによって前記熱交換器８の温度を低下させたのち、前記吸込ルーバ１０を回動して前記前面上部の吸込口５を開放することにより、多量の吸込空気が低温になった前記熱交換器８を通過させて除湿性能を向上させるようにしている。
【００１７】
前記前面上部の吸込口５と、前記吹出口７との間の前記吸込グリル３または前記前面パネル４には、前記吹出口７から吹き出される吹出空気の一部を、前記垂直部８ａを通過させて前記空気通路に導くための前記吹出口７の左右幅とほぼ同じ左右幅で形成された導風口１３を設け、同導風口１３に、同導風口１３を開閉するように、両側に設けられた支軸部１４ａ  によって下端部を前記導風口１３の外側に開くように回動可能に支持された開閉パネル１４を設けると共に、前記導風口１３を開放した時には内部が見えにくいように目隠しできる目隠し手段を設け、前記垂直部８ａの前面側に補助熱交換器８’を設けると共に、同補助熱交換器８’および前記導風口１３の間に脱臭フィルタ１２’  を設けた構成となっている。
【００１８】
これによって、除湿運転時に、前記導風口１３を開くことにより、前記吹出口７から吹き出される吹出空気の一部を、下端部を外側に開いた前記開閉パネル１４でガイドしながら効率よく導き入れることができるようになり、前記脱臭フィルタ１２’  を通過させ、引き続いて前記補助熱交換器８’および前記垂直部８ａを通過させることにより、前記導風口１３から導き入れた吹出空気の脱臭をし、且つ効果的な熱交換により除湿効果を高めて快適な除湿運転を実現できるようになると同時に、前記導風口１３を開放した時には、使用者の視線が内部まで届きにくいように目隠しするための目隠し手段を設けたので、除湿運転時に外観性を損ねることがない。
【００１９】
また、例えば暖房運転時に室内温度が設定値以下になった際、図示しない圧縮機を停止し、前記送風ファン９を継続駆動すると共に、前記開閉パネル１４により前記導風口１３を開放するように構成されている。
【００２０】
そして、前記前部熱交換器を構成する垂直部８ａの前面側に補助熱交換器８’を設けると共に、同補助熱交換器８’の下部前方であって、前記プレフィルタａの前面側であって前記導風口１３の内側には、同導風口１３を臨ませた室温サーミスタ（室内温度検出部）Ｅが設けられた構成になっている。
【００２１】
これにより、前記導風口１３から本体１内の空気通路に導入される室内空気の温度が、前記室温サーミスタ（室内温度検出部）Ｅによって正確に検知されるようになる。
【００２２】
なお、図示はしないが、前記室温サーミスタ（室内温度検出部）Ｅで検知された室内空気の温度および室内温度設定部で設定された設定温度に基づいて、制御部により、圧縮機駆動部で圧縮機を、ファン駆動部で前記送風ファン９を、開閉パネル駆動部で前記開閉パネル１４を夫々駆動するようになっている。
【００２３】
また、前記空気清浄ユニット１２は、前記補助吸込口１１の風下側であって前記後方傾斜部８ｂの前面側に設けられる一方、前記脱臭フィルタ１２’  は、前記補助熱交換器８’および前記導風口１３の間に設けられたことにより、前記補助吸込口１１から吸い込まれた吸込空気が前記空気清浄ユニット１２を通過する一方、前記導風口１３から導入された吸込空気が前記脱臭フィルタ１２’  を通過するようになり、上記に説明した従来技術における問題点を解決して、空気清浄および脱臭の機能を向上できるようになる。
【００２４】
次に、前記目隠し手段の構成について詳細に説明する。
前記目隠し手段は、とくに前記室温サーミスタ（室内温度検出部）Ｅが見えてしまわないように、前記導風口１３の内部を効果的に目隠しできる効果を奏するように構成されており、例えば第一の実施例を図１と、図２（Ａ）とで示すように、前記開閉パネル１４の下部に連続形成されたフランジ１４’  からなる構成としたことにより、前記吹出口７から吹き出される吹出空気の一部を導入できるように前記導風口１３を開放するのと同時に、被空気調和室内の使用者が本体１を見上げた際、その視線が前記導風口１３の内部まで届きにくくなるように、コスト的に有利な構成でなる前記フランジ１４’  によって効果的に目隠しできるようになる。
なお、前記フランジ１４’  は、前記吹出口７から吹き出される吹出空気の一部を前記導風口１３に導くガイドを兼ねるようになっている。
【００２５】
また、前記目隠し手段は、例えば第二の実施例を図２（Ｂ）で示すように、前記導風口１３の上下に略垂直状に併設された複数の横桟１５ａ  からなる構成としたことにより、前記吹出口７から吹き出される吹出空気の一部を導入できるように前記導風口１３を開放するのと同時に、被空気調和室内の使用者が本体１を見上げた際、その視線が前記導風口１３の内部まで届きにくくなるように、前記複数の横桟１５ａ  によって効果的に目隠しできる。
【００２６】
また、前記複数の横桟１５ａ  が、例えば第三の実施例を図２（Ｃ）で示すように、その上端部を前方に傾斜させるように併設された構成としたことにより、除湿運転時に、前記吹出口７から吹き出される吹出空気流の一部に対向させて、前記第二の実施例の場合に比して空気抵抗が小さくなるように前記導風口１３を効果的に開放できるのと同時に、使用者の視線が前記導風口１３の内部まで届きにくくなるように、前記複数の横桟１５ａ  によって効果的に目隠しできる。
【００２７】
また、前記目隠し手段が、例えば第四の実施例を図２（Ｄ）で示すように、前記導風口１３に上端部を前方に傾斜させるように設けられた目隠し板１５ｂ  からなる構成としたことにより、前記吹出口７から吹き出される吹出空気流の一部を、前記目隠し板１５ｂ  により前記導風口１３に向けてガイドできるのと同時に、使用者の視線が前記導風口１３の内部まで届きにくくなるように、前記目隠し板１５ｂ  によって効果的に目隠しできる。
なお、前記目隠し板１５ｂ  は、その下端部を前方に傾斜させるように設けられた場合、前記吹出空気流の一部を前記導風口１３に向けてより効果的にガイドできるようになる。
【００２８】
更に、前記開閉パネル１４が、前記吸込グリル３および、または前記前面パネル４と同様の素材からなる構成にすると共に、前記開閉パネル１４に、同開閉パネル１４を駆動するステッピングモータからなる駆動装置１６を連係することにより、暖房運転時や除湿運転時などの運転状況に応じて前記開閉パネル１４を自動的に開閉できるようになり、また、本体１の前面側にデザイン的な統一性をもたせることができて意匠性を向上できる。
【００２９】
【発明の効果】
以上説明したように、本発明によれば、前面上部の吸込口と前面下部の吹出口との間に吹出空気の一部を導入する導風口を設け、同導風口に開閉パネルおよび目隠し手段を設けると共に、同導風口の内側に室温サーミスタを設けた壁掛け式の空気調和機となる。
【図面の簡単な説明】
【図１】本発明による空気調和機の説明図で、（Ａ）は断面図であり、（Ｂ）は斜視図である。
【図２】本発明による空気調和機の要部断面図で、（Ａ）は第一の実施例を示し、（Ｂ）は第二の実施例を示し、（Ｃ）は第三の実施例を示し、（Ｄ）は第四の実施例を示す。
【符号の説明】
１  空気調和機本体
２  ベース
３  吸込グリル
４  前面パネル
５  吸込口
６  上下風向板
７  吹出口
８  熱交換器
８ａ  垂直部
８ｂ  後方傾斜部
８ｃ  下方傾斜部
８’  補助熱交換器
９  送風ファン
１０  吸込ルーバ
１１  補助吸込口
１２  空気清浄ユニット
１２’  脱臭フィルタ
１３  導風口
１４  開閉パネル
１４’  フランジ
１５ａ  横桟
１５ｂ  目隠し板
１６  駆動装置
ａ  プレフィルタ
Ｅ  室温サーミスタ（室内温度検出部）
【図１】
2004316991.tif 000003
【図２】
2004316991.tif 000004